(57)【特許請求の範囲】
【請求項１】
画像処理装置であって、
第１の端末装置から、少なくとも画像処理装置の画像処理機能を独占的に使用するための独占要求を受信する第１の受信手段と、
前記第１の端末装置への通知に要する宛先情報を記憶する宛先記憶手段と、
前記第１の端末装置の前記独占要求を受信した後に、ユーザが前記画像処理装置を操作することによって、少なくとも前記画像処理機能の独占的な使用に影響を与え得る特定の指示がなされた場合、もしくは、前記第１の端末装置とは異なる端末装置から前記特定の指示が取得された場合に、前記宛先情報を用いて、前記第１の端末装置に、前記特定の指示があった旨を通知する第１の通知手段と、
を備え、
前記宛先情報は、近接無線通信によって前記第１の端末装置から送信され、
前記通知手段は、前記近接無線通信によって送信された宛先情報に従って、前記近接無線通信とは異なる通信によって、前記第１の端末装置に前記特定の指示があった旨を通知する
ことを特徴とする、画像処理装置。
【請求項２】
請求項１に記載の画像処理装置であって、さらに、
前記通知手段は、前記特定の指示の内容を通知する
ことを特徴とする、画像処理装置。
【請求項３】
請求項１または２のいずれかに記載の画像処理装置であって、さらに、
画像処理機能の実行に関する第１の実行指示がなされた場合に、前記第１の実行指示に基づく画像処理機能の実行を制御する第１の実行制御手段を備え、
前記通知手段は、前記第１の実行指示に基づく画像処理機能の実行が開始される前に、前記画像処理機能の実行に関係する前記特定の指示がなされた場合に、前記第１の端末装置に、前記特定の指示があった旨を通知し、前記画像処理機能の実行に関係しない前記特定の指示がなされた場合に、前記第１の端末装置に、前記特定の指示があった旨を通知しない
ことを特徴とする、画像処理装置。
【請求項４】
請求項１乃至３のいずれかに記載の画像処理装置であって、さらに、
画像処理機能の実行に関する第１の実行指示がなされた場合に、前記第１の実行指示に基づく画像処理機能の実行を制御する第１の実行制御手段と、
前記特定の指示が、画像処理機能の実行のための第２の実行指示である場合に、前記第２の実行指示に基づく画像処理機能が実行されることによって、前記第１の実行指示に基づく画像処理機能の実行が妨げられるか否かを判断する判断手段と、を備え、
前記実行制御手段は、前記第１の実行指示に基づく画像処理機能が妨げられないと判断された場合に、前記第２の実行指示に基づく画像処理機能を実行する
ことを特徴とする、画像処理装置。
【請求項５】
請求項１乃至４のいずれかに記載の画像処理装置であって、さらに、
画像処理機能の実行に関する第１の実行指示がなされた場合に、前記第１の実行指示に基づく画像処理機能の実行を制御する第１の実行制御手段と、
前記特定の指示が、画像処理機能の実行のための第２の実行指示である場合に、前記第２の実行指示に基づく画像処理機能が実行されることによって、前記第１の実行指示に基づく画像処理機能の実行が妨げられるか否かを判断する判断手段と、を備え、
前記通知手段は、前記第１の実行指示に基づく画像処理機能の実行を開始した後に、前記第１の実行指示に基づく画像処理機能の実行を妨げる前記特定の指示がなされた場合に、前記第１の端末装置に、前記特定の指示があった旨を通知し、前記第１の実行指示に基づく画像処理機能の実行を妨げない前記特定の指示がなされた場合に、前記第１の端末装置に、前記特定の指示があった旨を通知しない
ことを特徴とする、画像処理装置。
【請求項６】
請求項１乃至５のいずれかに記載の画像処理装置であって、さらに、
前記特定の指示を行ったユーザに関する第１の識別情報を、前記宛先情報を用いて、前
記第１の端末装置に通知する第２の通知手段を備える
ことを特徴とする、画像処理装置。
【請求項７】
請求項１乃至６のいずれかに記載の画像処理装置であって、さらに、
前記特定の指示に基づく処理を許可するか否かについての応答情報を受信する第２の受信手段と、
前記応答情報が、前記特定の指示に基づく処理を許可することを示す場合に、前記特定の指示に基づく処理を実行する第２の実行制御手段と、
を備えることを特徴とする、画像処理装置。
【請求項８】
請求項１乃至７のいずれかに記載の画像処理装置であって、さらに、
前記特定の指示がなされた場合に、前記第１の端末装置を識別するための第２の識別情報を、表示部に表示する表示手段を、備える
ことを特徴とする、画像処理装置。
【請求項９】
請求項１乃至８のいずれかに記載の画像処理装置であって、さらに、
前記第１の端末装置のための複数種類の宛先情報の中から、特定の種類の宛先情報を決定する決定手段を備え、
前記通知手段は、前記特定の種類の宛先情報を用いて、前記特定の指示があった旨を前記第１の端末装置に通知する
ことを特徴とする、画像処理装置。
【請求項１０】
請求項１乃至９のいずれかに記載の画像処理装置であって、
前記近距離無線通信は、近距離無線通信規格であるＮｅａｒ Ｆｉｅｌｄ Ｃｏｍｍｕｎｉｃａｔｉｏｎにしたがった通信であり、
前記近距離無線通信とは異なる通信は、無線通信方式であるＷｉ−Ｆｉまたは３Ｇの少なくとも一方にしたがった通信である、画像処理装置。
【請求項１１】
コンピュータに、
第１の端末装置から、少なくとも画像処理装置の画像処理機能を独占的に使用するための独占要求を受信する第１の受信手段と、
前記第１の端末装置への通知に要する宛先情報を記憶する宛先記憶手段と、
前記第１の端末装置の前記独占要求を受信した後に、ユーザが前記画像処理装置を操作することによって、少なくとも前記画像処理機能の独占的な使用に影響を与え得る特定の指示がなされた場合、もしくは、前記第１の端末装置とは異なる端末装置から前記特定の指示が取得された場合に、前記宛先情報を用いて、前記第１の端末装置に、前記特定の指示があった旨を通知する第１の通知手段として機能させ、
前記宛先情報は、近接無線通信によって前記第１の端末装置から送信され、
前記通知手段は、前記近接無線通信によって送信された宛先情報に従って、前記近接無線通信とは異なる通信によって、前記第１の端末装置に前記特定の指示があった旨を通知するプログラム。
【発明の詳細な説明】
【技術分野】
【０００１】
本発明は、画像処理機能の技術に関し、特に、当該画像処理装置の画像処理機能を特定の装置に独占的に使用させる技術に関する。
【背景技術】
【０００２】
特許文献１では、共有プリンタには、一のユーザに独占的に使用させることができる機能が設けられている。プリンタが一のユーザに独占的に使用されている場合、独占的に使用しているユーザ名がプリンタモニタに表示される。
【先行技術文献】
【特許文献】
【０００３】
【特許文献１】特開平１０−９１３７３号公報
【特許文献２】特開２０００−３３０７３８号公報
【特許文献３】特開２００７−２５９０９６号公報
【発明の開示】
【発明が解決しようとする課題】
【０００４】
しかしながら、従来では、画像処理機能が独占的に使用させる際に使い勝手が悪い場合があった。
本発明は、上述した問題点を解決するためになされたものであり、画像処理機能を独占的に使用させる際の使い勝手を改善するための技術を提供する。
【課題を解決するための手段】
【０００５】
この目的を達成するために、本発明の第１の装置は、画像処理装置であって、第１の端末装置から、少なくとも画像処理装置の画像処理機能を独占的に使用するための独占要求を受信する第１の受信手段と、前記第１の端末装置への通知に要する宛先情報を記憶する宛先記憶手段と、前記第１の端末装置の前記独占要求を受信した後に、少なくとも前記画像処理機能の独占的な使用に影響を与え得る特定の指示がなされた場合に、前記宛先情報を用いて、前記第１の端末装置に、前記特定の指示があった旨を通知する第１の通知手段と、を備えることを特徴とする。
【０００６】
この構成では、第１の端末装置から独占要求を受信した後に、画像処理機能の独占的な使用に影響を与え得る特定の指示があった旨を第１の端末装置に通知することができるため、第１の端末装置のユーザは、独占要求が画像処理装置に対して送信された後に、画像処理機能の独占的な使用に影響を与え得る特定の指示がなされたことを適切に認識することができる。このため、例えば、第１の端末装置のユーザは、画像処理装置が特定の指示に基づく画像処理機能を実行させるか否かを決定することができ、画像処理機能を独占的に使用する際の使い勝手を改善することができる。
【０００７】
また、上記の装置において、前記通知手段は、前記特定の指示の内容を通知することが好ましい。
【０００８】
この構成では、特定の指示の内容を第１の端末装置に通知することができる。こうすることで、第１の端末装置のユーザは、特定の指示の内容を認識することができる。
【０００９】
また、上記の装置において、画像処理機能の実行に関する第１の実行指示がなされた場合に、前記第１の実行指示に基づく画像処理機能の実行を制御する第１の実行制御手段を備え、前記通知手段は、前記第１の実行指示に基づく画像処理機能の実行が開始される前に、前記画像処理機能の実行に関係する前記特定の指示がなされた場合に、前記第１の端末装置に、前記特定の指示があった旨を通知し、前記画像処理機能の実行に関係しない前記特定の指示がなされた場合に、前記第１の端末装置に、前記特定の指示があった旨を通知しないことが好ましい。
【００１０】
この構成では、第１の実行指示に基づく画像処理機能の実行が開始される前に特定の指示があった旨が通知されるのは、画像処理機能に関係する特定の指示があった場合であるため、適切な場合で第１の端末装置に通知することができる。
【００１１】
また、上記の装置において、さらに、画像処理機能の実行に関する第１の実行指示がなされた場合に、前記第１の実行指示に基づく画像処理機能の実行を制御する第１の実行制御手段と、前記特定の指示が、画像処理機能の実行のための第２の実行指示である場合に、前記第２の実行指示に基づく画像処理機能が実行されることによって、前記第１の実行指示に基づく画像処理機能の実行が妨げられるか否かを判断する判断手段と、を備え、前記実行制御手段は、前記第１の実行指示に基づく画像処理機能が妨げられないと判断された場合に、前記第２の実行指示に基づく画像処理機能を実行することが好ましい。
【００１２】
この構成では、第１の実行指示に基づく画像処理機能と、第２の実行指示に基づく画像処理機能と、を適切に実行することができる。例えば、第２の実行指示に基づく画像処理機能が、第１の実行指示に基づく画像処理機能を妨げないと判断された場合は、第２の実行指示に基づく画像処理機能を実行することができるため、第２の実行指示に基づく画像処理機能の実行を待機させずに済む。
【００１３】
また、上記の装置において、さらに、画像処理機能の実行に関する第１の実行指示がなされた場合に、前記第１の実行指示に基づく画像処理機能の実行を制御する第１の実行制御手段と、前記特定の指示が、画像処理機能の実行のための第２の実行指示である場合に、前記第２の実行指示に基づく画像処理機能が実行されることによって、前記第１の実行指示に基づく画像処理機能の実行が妨げられるか否かを判断する判断手段と、を備え、前記通知手段は、前記第１の実行指示に基づく画像処理機能の実行を開始した後に、前記第１の実行指示に基づく画像処理機能の実行を妨げる前記特定の指示がなされた場合に、前記第１の端末装置に、前記特定の指示があった旨を通知し、前記第１の実行指示に基づく画像処理機能の実行を妨げない前記特定の指示がなされた場合に、前記第１の端末装置に、前記特定の指示があった旨を通知しないことが好ましい。
【００１４】
この構成では、第１の実行指示に基づく画像処理機能の実行が開始された後に特定の指示があった旨が通知されるのは、画像処理機能の実行を妨げない特定の指示があった場合であるため、適切な場合で第１の端末装置に通知することができる。
【００１５】
また、上記の装置において、前記特定の指示を行ったユーザに関する第１の識別情報を、前記宛先情報を用いて、前記第１の端末装置に通知する第２の通知手段を備えることが好ましい。
【００１６】
この構成では、例えば、第１の端末装置のユーザは、第１の識別情報を参照することによって、特定の指示を行ったユーザを認識することができる。
【００１７】
また、上記の装置において、前記特定の指示に基づく処理を許可するか否かについての応答情報を受信する第２の受信手段と、前記応答情報が、前記特定の指示に基づく処理を許可することを示す場合に、前記特定の指示に基づく処理を実行する第２の実行制御手段と、を備えることが好ましい。
【００１８】
この構成では、第１の実行指示に基づく画像処理機能と、特定の指示に基づく処理と、を適切に実行することができる。例えば、特定の指示に基づく処理が、第１の実行指示に基づく画像処理機能を妨げる場合であっても、特定の指示に基づく処理の実行を許可する旨を示す応答情報を第１の端末装置から受信した場合は、特定の指示に基づく処理を実行することができる。
【００１９】
また、上記の装置において、さらに、前記特定の指示がなされた場合に、前記第１の端末装置を識別するための第２の識別情報を、表示部に表示する表示手段を、備えることが好ましい。
【００２０】
この構成では、例えば、第２の実行指示を実行したユーザが、第２の識別情報を参照することによって、第１の端末装置を認識することができる。
【００２１】
また、上記の装置において、さらに、前記第１の端末装置のための複数種類の宛先情報の中から、特定の種類の宛先情報を決定する決定手段を備え、前記通知手段は、前記特定の種類の宛先情報を用いて、前記特定の指示があった旨を前記第１の端末装置に通知することが好ましい。
【００２２】
この構成では、複数の宛先情報の中から宛先情報を決定することができるため、適切な通知態様である宛先情報に従って、特定の指示があったことを第１の端末装置に通知することができる。
【００２３】
また、上記の装置において、前記宛先情報は、近接無線通信によって前記第１の端末装置から送信され、前記通知手段は、前記近接無線通信によって送信された宛先情報に従って、前記第１の端末装置に前記特定の指示があった旨を通知してもよい。
【００２４】
なお、この発明は、画像処理装置及び画像処理装置で実行される方法、これらの方法または装置の機能を実現するためのコンピュータプログラム、そのコンピュータプログラムを記録した記録媒体等の種々の態様で実現することができる。
【図面の簡単な説明】
【００２５】
【図１】通信システムの構成を示すブロック図。
【図２】画像処理を示すフローチャート。
【図３】独占状態設定処理を示すシーケンス図。
【図４】端末装置１００の表示部に表示される画面を示す図。
【図５】ＭＦＰ１００の表示部に表示される画面を示す図。
【図６】独占状態解除処理を示すシーケンス図。
【図７】端末装置１００の表示部に表示される画面を示す図。
【図８】指示受付処理を示すシーケンス図。
【図９】端末装置１００の表示部に表示される画面を示す図。
【図１０】第２実施例における画像処理を示すフローチャート。
【図１１】第２実施例における指示受付処理を示すシーケンス図。
【発明を実施するための形態】
【００２６】
以下、本発明の実施の形態について以下の順序で説明する。
Ａ．第１実施例：
Ａ−１．通信システムの構成：
Ａ−１−１．ＭＦＰの構成：
Ａ−１−２．端末装置の構成：
Ａ−２．画像処理：
Ａ−２−１．独占状態設定処理：
Ａ−２−２．独占状態解除処理：
Ａ−２−３．指示受付処理：
Ｂ．第２実施例：
Ｂ−１．画像処理：
Ｂ−１−１．指示受付処理：
Ｃ．まとめ：
【００２７】
Ａ．第１実施例：
Ａ−１．通信システムの構成：
図１は、第１実施例における通信システムの構成を示すブロック図である。図１に示すように、本通信システムは、ＭＦＰ(Ｍｕｌｔｉｆｕｎｃｔｉｏｎ  Ｐｅｒｉｐｈｅｒａｌ)１０と、端末装置(例えば、携帯電話、ＰＤＡ等)１００と、を含む。
【００２８】
ＭＦＰ１０と端末装置１００とは、３ＧとＷｉ−Ｆｉ(Ｗｉｒｅｌｅｓｓ  Ｆｉｄｅｌｉｔｙ)とを含む複数個の無線通信方式のうちの１個の無線通信方式を選択的に利用することができる。なお、Ｗｉ−Ｆｉは、Ｗｉ−Ｆｉ  Ａｌｌｉａｎｃｅによって策定された規格に準拠した無線通信方式である。また、３Ｇは、国際電気通信連合(Ｉｎｔｅｒｎａｔｉｏｎａｌ  Ｔｅｌｅｃｏｍｍｕｎｉｃａｔｉｏｎ  Ｕｎｉｏｎ)によって策定された規格に準拠した無線通信方式である。端末装置１００は、３ＧとＷｉ−Ｆｉとのいずれかの無線通信方式を用いて、ＭＦＰ１０に対して画像処理機能を実行するよう指示することができる。
【００２９】
さらに、ＭＦＰ１０と端末装置１００とは、近距離無線通信規格の一種であるＮＦＣ（Ｎｅａｒ  Ｆｉｅｌｄ  Ｃｏｍｍｕｎｉｃａｔｉｏｎ）によってデータを送受信することができる。なお、ＮＦＣによる無線通信は、一方の装置をもう一方の装置にかざすことによって通信が確立されるため、データの転送・交換が容易に行える。端末装置１００は、ＮＦＣ通信を用いて、ＭＦＰ１０が有する画像処理機能を独占的に使用するための独占要求を送信することができる。
【００３０】
Ａ−１−１．ＭＦＰの構成：
図１のＭＦＰ１０は、制御部２０と、表示部２１と、操作部２２と、読取部２３と、印刷実行部２４と、ＮＦＣ通信インターフェース２５と、無線ネットワークインターフェース２６と、を備えており、それぞれがバス線で接続されている。
【００３１】
制御部２０は、ＣＰＵ３０とメモリ４０とを備える。ＣＰＵ３０は、メモリ４０に格納されている画像処理プログラム４１に従って画像処理を実行する。ＣＰＵ３０が当該画像処理プログラム４１に従って処理を実行することによって、各手段５１〜６１の機能が実現される。なお、ＭＦＰ２００は、複数の機能(ＦＡＸ機能、コピー機能、スキャン機能、印刷機能)を実行することができる。制御部２０は、複数の機能の中から、ユーザによって選択された機能に対応する画像処理プログラムを実行する。
【００３２】
メモリ４０は、前記画像処理プログラム４１と、状態フラグ４２と、独占解除コード４３と、を格納する。また、メモリ４０は、メモリ４０内のデータ記憶領域４４に、印刷データ４４ａを格納する。なお、メモリ４０は、ＲＯＭ、ＲＡＭ等の複数種類の記憶媒体のうちの１種類以上の記憶媒体を含む。
【００３３】
状態フラグ４２は、ＭＦＰ１０の画像処理機能が独占的に使用されている状態となっているか否かを示すフラグである。状態フラグ４２は、ＭＦＰ１０が外部から独占要求を受信すると、オンに設定される。状態フラグ４２がオンとなっている場合は、独占状態であることを示す(すなわち、特定のユーザによって、ＭＦＰ１０の画像処理機能が独占的に使用されていることを示す)。一方、状態フラグ４２がオフである場合は、非独占状態であることを示す(すなわち、特定のユーザによって、ＭＦＰ１０の画像処理機能が独占的に使用されていないことを示す)。状態フラグ４２がオンとなっている間は、制御部２０は、ＭＦＰ１０に対して外部から実行される指示を拒否する。
【００３４】
また、独占解除コード４３は、ＭＦＰ１０が独占状態である場合に、当該独占状態を解除するために用いられるコードである。独占解除コード４３は、複合機によって発行される任意の文字列によって構成される。制御部２０は、任意の文字列を生成し、独占解除コード４３を送信すべき装置に対して送信する。
【００３５】
表示部２１は、パネルを備えており、各種の画面を表示する。操作部２２は、複数のボタンを備えている。ユーザは、操作部６２を操作することによって、表示部６１に表示される項目を選択する。なお、表示部６１は、タッチパネルであってもよい。この場合、表示部６１は、操作部６２としても機能し、ユーザは、表示部６１に表示された画面内の一部の領域に触れることによって項目を選択することができる。
【００３６】
ＮＦＣ通信インターフェース２５は、ＮＦＣ通信によってデータを送受信するためのインターフェースである。ＮＦＣ通信インターフェース２５を介して独占要求を受信すると、制御部２０は、独占要求を送信した装置以外の他の装置による指示と、ＭＦＰ１０の操作部２２による指示と、のいずれの指示も拒否する。すなわち、端末装置１００は、ＭＦＰ１０の画像処理機能を排他的に使用することができる。
【００３７】
読取部２３は、原稿台の上に置かれた原稿のデータを読み取るために、ＣＣＤ等から成る複数個のセンサを有する読み取りバーと、当該読み取りバーを移動させるための移動部と、を備える。なお、これに代えて、スキャン実行部２４は、読み取りバーと、原稿を搬送する搬送部とを備えてもよい。
【００３８】
印刷実行部２４は、レーザ方式等の印刷機構を備えている。制御部２０は、メモリ４０内のデータ記憶領域４４に記憶される印刷データ４４ａを印刷実行部２４に印刷出力させることができる。なお、印刷データ４４ａは、ＭＦＰ１０の図示しないメモリ装着部を通じて、ＵＳＢメモリ等の可搬型メモリから読み込まれる。また、印刷データ４４ａは、読取部２３によってスキャンされたスキャンデータであってもよい。
【００３９】
Ａ−１−２．端末装置の構成：
図１の端末装置１００は、制御部１２０、表示部１２１、操作部１２２、ＮＦＣ通信インターフェース１２５、無線ネットワークインターフェース１２６を備えており、それぞれがバス線で接続されている。
【００４０】
制御部１２０は、ＣＰＵ１３０とメモリ１４０とを備える。メモリ１４０は、端末装置１００に情報を通知するための宛先情報１４１を記憶する。宛先情報１４１は、端末装置１４１のＩＰアドレスと、Ｅｍａｉｌアドレスと、電話番号と、のうちの少なくとも１つに関する情報を含む。なお、メモリは、ＲＯＭ、ＲＡＭ等の複数種類の記憶媒体のうちの１種類以上の記憶媒体を含む。
【００４１】
表示部１２１は、制御部１２０によって指定された各種の情報を画面に表示する。ユーザは、操作部１２２を操作することによって、表示部１２１に表示される項目を選択することができる。なお、表示部１２１は、タッチパネルであってもよい。この場合、表示部１２１は、操作部１２２としても機能し、ユーザは、表示部１２１に表示された画面内の一部の領域に触れることによって項目を選択することができる。
【００４２】
制御部１２０は、ＮＦＣ通信インターフェース１２５を介して、ＭＦＰ１０に対して独占要求を送信する。また、制御部１２０は、無線ネットワークインターフェース１２６を介して、ＭＦＰ１０に印刷データ４４ａを送信することができる。
【００４３】
Ａ−２．画像処理：
図２は、第１実施例で実行される画像処理を示すフローチャートである。
【００４４】
図２の画像処理は、ユーザによって、ＭＦＰ１０の操作部２２が操作され、複数の画像処理機能の中の一の画像処理機能の実行が指示されたことによって開始される。はじめに、制御部２０は、メモリ４０に記憶される状態フラグ４２をオフとする(Ｓ１２０)。続いて制御部２０は、ＭＦＰ１０が実行可能な複数の機能の中で、ユーザによって指定された機能の実行を開始する(Ｓ１４０)。例えば、印刷機能の実行がユーザによって所望された場合は、制御部２０は、予めＵＳＢメモリ等の可搬型メモリから読み込まれた印刷データ４４ａに基づいて、印刷実行部２４に印刷出力を開始させる。なお、ユーザは、端末装置１００の操作部１２２を操作することによって、ＭＦＰ１０に対して画像処理機能の実行開始を指示してもよい。
【００４５】
画像処理機能の実行が開始されると、制御部２０は、メモリ４０を参照し、状態フラグ４２がオンとなっているか否かを判断する(Ｓ１６０)。なお、制御部２０は、後述する独占状態設定処理(Ｓ２００)が実行されることによって、独占状態となっている場合に、状態フラグ４２がオンとなっていると判断する。一方、制御部２０は、以下の２つの場合において、状態フラグ４２がオフとなっていると判断する。すなわち、制御部２０は、(Ａ)Ｓ１４０において機能の実行を開始し、初めてＳ１６０の処理が実行される場合と、(Ｂ)機能の実行が開始された後、後述する独占状態設定処理(Ｓ２００)が実行されないまま、機能の実行が継続されている場合と、の２つの場合について、状態フラグ４２がオフとなっていると判断する。
【００４６】
状態フラグ４２がオフであると判断された場合は(Ｓ１６０  ＮＯ)、制御部２０は、ＭＦＰ１０と端末装置１００との間でＮＦＣ通信が確立されたか否かを判断する(Ｓ１８０)。ＮＦＣ通信が確立された場合は(Ｓ１８０  ＹＥＳ)、制御部２０は、後述する独占状態設定処理を実行する(Ｓ２００)。独占状態設定処理が終了すると、制御部２０は、ＭＦＰ１０と端末装置１００との間で確立されていたＮＦＣ通信を切断する(Ｓ２２０)。なお、ＮＦＣ通信を切断するとは、ＮＦＣ通信インターフェース２５からのデータの送受信処理を終了した後、ＭＦＰ１０がＮＦＣ通信を実行可能な範囲外に端末装置１００を移動させられたことを検出することである。一方、Ｓ１８０において、ＮＦＣ通信が確立されたと判断されない場合は(Ｓ１８０  ＮＯ)、制御部２０は、Ｓ３００に処理を移行する。
【００４７】
一方、Ｓ１６０において、状態フラグがオンであると判断された場合は(Ｓ１６０  ＹＥＳ)、制御部２０は、ＭＦＰ１０と端末装置１００との間でＮＦＣ通信が確立されたか否かを判断する(Ｓ２４０)。ＮＦＣ通信が確立された場合は(Ｓ２４０  ＹＥＳ)、制御部２０は、後述する独占状態解除処理を実行する(Ｓ２６０)。独占状態解除処理が終了すると、制御部２０は、端末装置１００との間で確立されていたＮＦＣ通信を切断する(Ｓ２８０)。一方、Ｓ２４０において、ＮＦＣ通信が確立されない場合は(Ｓ２４０  ＮＯ)、制御部２０は、Ｓ３００に処理を移行する。
【００４８】
続いて制御部２０は、メモリ４０に記憶される状態フラグ４２がオンに設定されているか否かを判断する。具体的には、以下の２つの場合において、状態フラグ４２がオンに設定されていると判断される。すなわち、(Ａ)Ｓ２００で独占状態設定処理が実行され、端末装置１００による独占状態となっている場合と、(Ｂ)Ｓ２６０で独占状態解除処理が実行されたものの、非独占状態に移行されなかった場合と、においては、状態フラグがオンに設定されていると判断される。一方、以下の２つの場合において、状態フラグ４２がオフに設定されていると判断される。すなわち、(Ｃ)Ｓ２６０において独占状態解除処理が実行され、非独占状態に移行した場合と、(Ｄ)Ｓ１４０で画像処理機能の実行が開始された後、Ｓ２００の独占状態設定処理が実行されずに画像処理機能の実行が継続されている場合と、の２つの場合では、状態フラグがオフに設定されていると判断される。
【００４９】
状態フラグがオンに設定されていると判断される場合は(Ｓ３００  ＹＥＳ)、制御部２０は、ＭＦＰ１０が指示を受けたか否かを判断する(Ｓ３２０)。具体的には、制御部２０は、端末装置１００を除く他の装置から、無線ネットワークインターフェース２６を介して機能の実行が指示された場合と、端末装置１００のユーザ以外の他のユーザによってＭＦＰの操作部１２２が操作された場合と、のいずれかの場合に該当するか否かを判断する。
【００５０】
ＭＦＰ１０が指示を受けたと判断された場合は(Ｓ３２０  ＹＥＳ)、制御部２０は、後述する指示受付処理を実行する(Ｓ３４０)。一方、ＭＦＰ１０が指示を受けたと判断されない場合は(Ｓ３２０  ＮＯ)、制御部２０は、Ｓ４２０に処理を移行する。
【００５１】
一方、Ｓ３００において、状態フラグ４２がオフに設定されていると判断された場合は(Ｓ３００  ＮＯ)、制御部２０は、ＭＦＰ１０が指示を受けたか否かを判断する(Ｓ３６０)。ＭＦＰ１０が指示を受けたと判断された場合は、制御部２０は、指示された項目を確認する(Ｓ３８０)。例えば、操作部２２に含まれる、機能の実行を中止させるためのストップキーが押下されたことが確認される。
【００５２】
続いて、制御部２０は、Ｓ３８０で確認された指示に応じた処理を実行する(Ｓ４００)。例えば、ユーザによって、ストップキーが押下された場合は、実行している画像処理機能を中止する。
【００５３】
このように、ＭＦＰ１０が非独占状態である場合は、端末装置１００のユーザ以外の他のユーザに対しても通常のＭＦＰ１０の使用が許可される。例えば、Ｓ１４０で開始された画像処理機能が印刷機能である場合に、Ｓ３８０で確認された指示が印刷機能の実行を開始する指示である場合は、制御部２０は、Ｓ１４０で開始された画像処理機能が終了した後に、Ｓ３８０で確認された指示に基づく印刷機能の実行を開始する。また、Ｓ３８０で確認された指示がスキャン機能の実行を開始する指示である場合は、制御部２０は、Ｓ１４０で開始された画像処理機能の実行中に、Ｓ３８０で確認された指示に基づくスキャン機能を実行する。また、Ｓ３８０で確認された指示が、ＭＦＰ１０の設定情報(無線設定情報など)を確認する指示である場合は、制御部２０は、Ｓ１４０で開始された画像処理機能の実行中に、無線設定情報を確認させることができる。
【００５４】
続いて、制御部２０は、Ｓ１４０で開始された画像処理機能の実行が終了しているか否かを判断する(Ｓ４２０)。画像処理機能の実行が終了していると判断されない場合は(Ｓ４２０  ＮＯ)、制御部２０は、Ｓ１６０に処理を移行する。このように、画像処理機能の実行が継続されている期間は、Ｓ１６０からＳ４２０までの処理が繰り返し実行される。
【００５５】
一方、画像処理機能の実行が終了していると判断された場合は(Ｓ４２０  ＹＥＳ)、制御部２０は、メモリ４０に記憶される状態フラグ４２をオフに設定し、図２の画像処理を終了する。
【００５６】
Ａ−２−１．独占状態設定処理：
続いて、Ｓ２００(図２)の独占状態設定処理について説明する。図３は、独占状態設定処理を示すシーケンス図である。独占状態設定処理では、ＭＦＰ１０のＮＦＣ通信インターフェース２５と、端末装置１００のＮＦＣ通信インターフェース１２５と、の間で情報を送受信することによって、処理が実行される。以下の処理では、ＭＦＰ１０の制御部２０と、端末装置１００の制御部１２０と、が処理を実行する。
【００５７】
はじめに、ＭＦＰ１０は、端末装置１００に対して、宛先情報１４１を要求するための宛先情報要求を送信する(Ｓ２０１ｂ)。当該宛先情報１４１は、端末装置１００が画像処理機能を独占している期間内に、ＭＦＰ１０が指示を受けた場合に、端末装置１００に対して当該指示があった旨を通知するために必要な情報である。具体的には、宛先情報１４１は、上述したように、端末装置１４１のＩＰアドレスと、Ｅｍａｉｌアドレスと、電話番号と、のうちの少なくとも１つに関する情報を含む。
【００５８】
宛先情報要求を受信すると(Ｓ２０１ａ)、端末装置１００は、メモリ１４０を参照し、ＭＦＰ１０に対して宛先情報１４１を送信する(Ｓ２０２ａ)。本実施例では、複数の通知態様の中から、端末装置１００のユーザに選択された通知態様に対応する宛先情報１４１が送信される。
【００５９】
図４は、通知態様を決定する際に、端末装置１００の表示部１２１に表示される画面を示す図である。図４(Ａ)に示すように、通知態様設定画面ＳＣ１は、「ＩＰアドレス」と、「Ｅｍａｉｌ」と、「電話」と、の３つの通知態様から、所望する通知態様をユーザに選択させるための画面である。ボタンＢ１〜Ｂ３は、画面ＳＣ１に含まれる３つの通知態様の中から、所望する通知態様をユーザに選択させるためのボタンである。ボタンＢ４は、選択された通知態様を確定させるためのボタンである。端末装置１００のユーザは、画面ＳＣ１内の中から、所望する通知態様に対応するボタンＢ１〜Ｂ３のいずれかを選択し、確定ボタンＢ４を選択することによって、所望する通知態様を決定することができる。
【００６０】
画面ＳＣ１において、例えば、ユーザがボタンＢ１を選択することによって、「ＩＰアドレス」が選択された場合は、端末装置１００は、ＮＦＣ通信インターフェース１２５を介して、ＭＦＰ１０に宛先情報１４１を送信する(Ｓ２０２ａ)。なお、「ＩＰアドレス」が選択された場合は、後述する指示受付処理で情報を送受信する際に、Ｗｉ−Ｆｉが利用される。
【００６１】
画面ＳＣ１において、例えば、ユーザがボタンＢ２を選択することによって、「Ｅｍａｉｌ」が選択された場合は、端末装置１００は、ＮＦＣ通信インターフェース１２５を介して、ＭＦＰ１０に宛先情報１４１を送信する。なお、「Ｅｍａｉｌ」が選択された場合は、後述する指示受付処理で情報を送受信する際に、Ｗｉ−Ｆｉが利用されてもよいし、３Ｇが利用されてもよい。
【００６２】
画面ＳＣ１において、例えば、ユーザがボタンＢ３を選択することによって、「電話」が選択された場合は、制御部２０は、ＮＦＣ通信インターフェース１２５を介して、ＭＦＰ１０に宛先情報１４１を送信する。なお、「電話」が選択された場合は、後述する指示受付処理で情報を送受信する際に、３Ｇが利用される。
【００６３】
なお、端末装置１００のユーザは、ボタンＢ１〜Ｂ３のいずれか２つ以上を選択することによって、複数の通知態様を選択してもよい。この場合、ＭＦＰ１０は、複数の通知態様の中から、使用されるべき通知態様の優先順位を予め決定する。例えば、制御部２０は、まずＩＰアドレスを用いてＷｉ―Ｆｉの無線回線で通知を試み、仮にＷｉ−Ｆｉの無線回線が接続できない場合に、３Ｇの無線回線でＥｍａｉｌを用いて通知を試みる等の態様が考えられる。このように、制御部２０は、当該優先順位に従って通知態様を決定することができる。なお、使用されるべき通知態様の優先順位は、端末装置１００で決定されてもよい。
【００６４】
また、ＭＦＰ１０は、予め通知態様を決定しておき、当該決定されていた通知態様に対応する宛先情報１４１を端末装置１００に要求してもよい。端末装置１００は、要求された宛先情報１４１を端末装置１００に送信することができる
【００６５】
宛先情報１４１を受信すると(Ｓ２０２ｂ)、ＭＦＰ１０は、宛先情報１４１を参照し、ユーザが所望する通知態様を確認する(Ｓ２０３ｂ)。通知態様が確認されると、ＭＦＰ１０は、独占状態に移行するために用いられる独占解除コード４３を端末装置１００に送信する(Ｓ２０４ｂ)。
【００６６】
図５は、ＭＦＰ１０の表示部２１に表示される画面を示す図である。ＭＦＰ１０は、独占解除コード４３を端末装置１００に送信すると、図５(Ａ)に示すような画面ＳＣ１１を表示部２１に表示する。これにより、ＭＦＰ１０のユーザは、表示部２１を見ることによって、ＭＦＰ１０が独占状態であることを認識することができる。
【００６７】
その後、ＭＦＰ１０は、メモリ４０に記憶される状態フラグ４２をオンに設定する(Ｓ２０５ｂ)。なお、独占解除コード４３は、端末装置１００に送信されるとともに、ＭＦＰ１０のメモリ４０にも記憶される。
【００６８】
独占解除コード４３を受信すると(Ｓ２０３ａ)、端末装置１００は、図４(Ｂ)に示す画面ＳＣ２を表示部１２１に表示する。これにより、端末装置１００のユーザは、ＭＦＰ１０が独占状態に移行したことを認識することができる。
【００６９】
なお、本実施例では、独占解除コード４３は、ＭＦＰ１０によって決定され、Ｓ２０４ｂで端末装置１００に独占解除コード４３を送信しているが、別の構成であってもよい。すなわち、Ｓ２０２ａで端末装置１００からＭＦＰ１０に対して宛先情報１４１を送信する際に、端末装置１００がＭＦＰ１０に送信してもよい。こうすることで、端末装置１００とＭＦＰ１０との通信回数を減少させることができる。
【００７０】
また、端末装置１００から宛先情報１４１が受信できない場合は、ＭＦＰ１０は、宛先情報１４１が確認できない旨の通知をＭＦＰ１０の表示部２１に表示してもよい。
【００７１】
Ａ−２−２．独占状態解除処理：
図６は、Ｓ２６０(図２)の独占状態解除処理を示すシーケンス図である。独占状態解除処理では、ＭＦＰ１０のＮＦＣ通信インターフェース２５と、端末装置１００のＮＦＣ通信インターフェース１２５と、の間で情報を送受信することによって、処理が実行される。以下の処理では、ＭＦＰ１０の制御部２０と、端末装置１００の制御部１２０と、が処理を実行する。
【００７２】
はじめに、ＭＦＰ１０は、端末装置１００に対して、Ｓ２００の独占状態設定処理においてＭＦＰ１０が端末装置１００に送信した独占解除コード４３をＭＦＰ１０に送信するよう要求する(Ｓ２６１ｂ)。当該要求を受信すると(Ｓ２６１ａ)、端末装置１００は、ＮＦＣ通信インターフェース１２５を介して、独占解除コード４３をＭＦＰ１０に送信する(Ｓ２６２ａ)。独占解除コード４３を受信すると(Ｓ２６２ｂ)、ＭＦＰ１０は、メモリ４０に記憶される独占解除コード４３と、端末装置１００から送信された独占解除コード４３と、が一致するか否かを判断する(Ｓ２６３ｂ)。具体的には、互いの独占解除コード４３に含まれる文字列が全て一致するか否かを判断する。
【００７３】
上記２つの独占解除コード４３が互いに一致すると判断された場合は(Ｓ２６３ｂ  ＹＥＳ)、ＭＦＰ１０は、端末装置１００に対して、独占状態が解除されたことを示す情報を端末装置１００に送信する(Ｓ２６４ｂ)。その後、ＭＦＰ１０は、図５(Ｂ)に示すような画面ＳＣ１２を表示部２１に表示することによって、独占状態の解除が成功した旨を報知し(Ｓ２６５ｂ)、メモリ４０に記憶される状態フラグ４２をオフに設定する(Ｓ２６６ｂ)。一方、独占解除コード４３が一致しないと判断された場合は(Ｓ２６３ｂ  ＮＯ)、ＭＦＰ１０は、独占状態の解除に失敗したことを示す情報を端末装置１００に送信する(Ｓ２６７ｂ)。その後、ＭＦＰ１０は、図５(Ｃ)に示すような画面ＳＣ１３を表示部２１に表示する。
【００７４】
端末装置１００は、ＭＦＰ１０から、独占状態を解除することに成功したか否かの情報を受信し(Ｓ２６３ａ)、受信した情報の内容を報知する(Ｓ２６４ａ)。図７は、端末装置１００の表示部１２１に表示される画面を示す図である。独占状態を解除することに成功した旨の情報を受信した場合に、端末装置１００は、図７(Ａ)に示す画面ＳＣ３を表示部１２１に表示する。一方、独占状態を解除することに失敗した旨の情報を受信した場合に、端末装置１００は、図７(Ｂ)に示す画面ＳＣ４を表示部１２１に表示する。
【００７５】
Ａ−２−３．指示受付処理：
図８は、Ｓ３４０(図２)で実行される指示受付処理を示すシーケンス図である。図８においては、ＭＦＰ１０が独占状態である期間内に、ユーザが、ＭＦＰ１０の操作部２２を操作することによって、ＭＦＰ１０に対して何らかの指示を行った場合を想定して説明する。以下の処理では、ＭＦＰ１０の制御部２０と、端末装置１００の制御部１２０と、が処理を実行する。なお、これに代えて、独占状態である期間内に、端末装置１００を除く他の装置から、ＭＦＰ１０に対して何らかの指示が行われた場合にも本発明は適用可能である。
【００７６】
ＭＦＰ１０に対して何らかの指示があったことが確認されると、ＭＦＰ１０は、確認された指示が、端末装置１００によって独占される画像処理機能の実行を妨げるか否かを判断する(Ｓ３４１ｂ)。
【００７７】
なお、独占される画像処理機能を妨げる場合は、例えば、独占される画像処理機能がスキャン機能である場合に、確認された指示がスキャン機能を実行するための指示である場合である。また、独占される画像処理機能を妨げない場合は、例えば、独占される画像処理機能がスキャン機能である場合に、確認された指示が端末装置１００以外の他の装置からの印刷指示である場合である。
【００７８】
機能の実行を妨げないと判断された場合は(Ｓ３４１ｂ  ＮＯ)、ＭＦＰ１０は、確認された指示に伴う機能を実行する(Ｓ３５０ｂ)。一方、確認された指示が、端末装置１００によって指示された機能の実行を妨げると判断された場合は(Ｓ３４１ｂ  ＹＥＳ)、ＭＦＰ１０は、Ｓ２００(図２)の独占状態設定処理で端末装置１００から受信した宛先情報１４１に従って、端末装置１００に対して、確認された指示の内容についての情報を通知する(Ｓ３４２ｂ)。例えば、ユーザがＭＦＰ１０に対して指示を行った内容(機能：カラー印刷、印刷枚数：５枚)が、端末装置１００に通知される。また、指示を行ったユーザが、ユーザＩＤとパスワードとを用いてＭＦＰ１０にログインした後にＭＦＰ１０に対して指示した場合は、ＭＦＰ１０は、当該ログイン時に用いたユーザＩＤを合わせて端末装置１００に通知する構成とすることもできる。
【００７９】
図９は、端末装置１００の表示部１２１に表示される画面を示した図である。確認された指示の内容についての情報を受信すると(Ｓ３４１ａ)、端末装置１００は、図９(Ａ)の画面ＳＣ５を表示部１２１に表示することによって、指示があった旨と、指示の内容と、を端末装置１００のユーザに報知する(Ｓ３４２ａ)。画面ＳＣ５は、確認された指示に基づく処理を許可することを選択するためのボタンＢ５と、確認された指示に基づく処理を拒否することを選択するためのボタンＢ６と、を含む。端末装置１００は、端末装置１００のユーザによって、指示に基づく処理の実行が許可されたか否かを判断する(Ｓ３４３ａ)。具体的には、画面ＳＣ５内のボタンＢ５と、ボタンＢ６とのいずれのボタンが選択されたかを判断する。
【００８０】
端末装置１００のユーザによって、画面ＳＣ５内のボタンＢ５が選択されたと判断された場合は(Ｓ３４３ａ  ＹＥＳ)、端末装置１００は、ＭＦＰ１０に対して、指示許可情報を送信する(Ｓ３４４ａ)。
【００８１】
一方、端末装置１００のユーザによって、画面ＳＣ５内のボタンＢ６が選択されたと判断された場合は(Ｓ３４３ａ  ＮＯ)、端末装置１００は、ＭＦＰ１０に対して、指示拒否情報を送信し(Ｓ３４５ａ)、図８の指示受付処理を終了する。
【００８２】
ＭＦＰ１０は、Ｓ３４２ｂで指示の内容を通知した後、タイムアウトとなる所定の期間を経過したか否かを判断する(Ｓ３４３ｂ)。所定の期間を経過した場合は(Ｓ３４３ｂ  ＹＥＳ)、ＭＦＰ１０は、端末装置１００に関する情報を含む図５(Ｄ)の画面ＳＣ１４を表示部２１に表示する(Ｓ３５０ｂ)。具体的には、画面ＳＣ１４に示されるように、端末装置１００のユーザのユーザ名と、Ｓ２００(図２)の独占状態設定処理において端末装置１００から受信した宛先情報１４１(電話番号等)と、を表示する。
【００８３】
所定の期間を経過しない場合は(Ｓ３４３ｂ  ＮＯ)、ＭＦＰ１０は、端末装置１００から、指示許可情報と、指示拒否情報と、のいずれかが送信されたか否かを判断する(Ｓ３４４ｂ)。いずれの情報も送信されない場合は(Ｓ３４４ｂ  ＮＯ)、ＭＦＰ１０は、Ｓ３４３ｂに処理を移行し、再度所定の期間を経過しているか否かを判断する。
【００８４】
なお、ＭＦＰ１０は、Ｓ３４２ｂで確認された指示の内容についての情報を端末装置１０に送信した後、後述するＳ３４５ｂとＳ３５０ｂとのいずれかの処理が実行されるまでの期間においても、画面ＳＣ１４を表示部２１に表示してもよい。また、端末装置１００から、指示許可情報と、指示拒否情報と、のいずれかの情報が送信されるのを待機中であることを示す画面を表示部２１に表示してもよい。
【００８５】
指示拒否情報が送信された場合は(Ｓ３４４ｂ  指示拒否情報)、ＭＦＰ１０は、タイムアウトとなる所定の期間を経過した場合と同様に、図５(Ｄ)の画面ＳＣ１４を表示部２１に表示する(Ｓ３５０ｂ)。
【００８６】
指示許可情報が送信された場合は(Ｓ３４４ｂ  指示許可情報)、ＭＦＰ１０は、端末装置１００によって指示された画像処理機能の実行を中断する(Ｓ３４５ｂ)。この場合、ＭＦＰ１０は、画像処理機能の処理がどこまで実行されたかに関する経過情報をメモリ４０に記憶する。その後、ＭＦＰ１０は、確認された指示の内容に基づく処理を実行する(Ｓ３４６ｂ)。当該指示に基づく処理の実行が完了すると、ＭＦＰ１０は、メモリ４０に記憶される上述した経過情報を確認し、当該機能の実行を再開する(Ｓ３４７ｂ)。当該機能の実行が再開されると、ＭＦＰ１０は、端末装置１００に対して、機能の実行を再開した旨の情報である再開情報を送信する(Ｓ３４８ｂ)。
【００８７】
再開情報を受信すると(Ｓ３４６ａ)、端末装置１００は、図９(Ｂ)に示すように、画像処理機能の実行が再開されたことを示す画面ＳＣ６を表示部１２１に表示する(Ｓ３４６ａ)。
【００８８】
Ｂ．第２実施例：
Ｂ−１．画像処理：
続いて、本発明の第２実施例について、図１０を参酌して説明する。図１０は、第２実施例での画像処理の流れを示すフローチャートである。なお、システム構成は第１実施例と同様であるため、説明を省略する。
【００８９】
第１実施例では、画像処理機能の実行が開始された後に、独占状態へ移行するための処理である独占状態設定処理が実行される構成を説明した。これに対し、第２実施例では、画像処理機能の実行が開始される前に、独占状態設定処理が実行される構成について説明する。
【００９０】
第２実施例の画像処理は、ＭＦＰ１０の電源が投入されることによって開始される。はじめに、制御部２０は、状態フラグをオフに設定する(Ｓ１２０Ａ)。続いて、制御部２０は、第１実施例と同様に、Ｓ１６０ＡからＳ４００Ａまでの処理を実行する。続いて、制御部２０は、画像処理機能の実行が指示されたか否かを判断する(Ｓ５２０)。具体的には、Ｓ３６０Ａにおいて実行される処理が、画像処理機能の実行を開始するための処理であるか否かを判断する。例えば、ＭＦＰ１０の操作部１２２が操作されることによって、所望する画像処理機能が選択され、スタートボタンが押下された場合が想定される。
【００９１】
画像処理機能の実行が指示された場合は(Ｓ５２０  ＹＥＳ)、制御部２０は、指示された画像処理機能を実行する(Ｓ５４０)。その後、状態フラグをオフに設定し(Ｓ５６０)、図１０の画像処理を終了する。
【００９２】
一方、機能の実行が指示されない場合は(Ｓ５２０  ＮＯ)、制御部２０は、処理をＳ１６０Ａに戻す。
【００９３】
Ｂ−１−１．指示受付処理：
図１１は、第２実施例での指示受付処理の流れを示すフローチャートである。
【００９４】
図１０のＳ３２０Ａにおいて、ＭＦＰ１０に対して指示があったことが確認されると、ＭＦＰ１０は、確認された指示が、画像処理機能の実行に関係する指示であるか否かを判断する(Ｓ３４１ｄ)。なお、画像処理機能の実行に関係する指示とは、例えば、印刷を実行するための指示等である。一方、画像処理機能の実行に関係しない指示とは、例えば、ＭＦＰ１０の設定情報(無線設定情報など)を確認する指示等である。確認された指示が、画像処理機能に関係しない指示である場合は(Ｓ３４１ｄ  ＮＯ)、制御部２０は、指示に応じた処理を実行する。
【００９５】
一方、画像処理機能の実行に関係する指示である場合は(Ｓ３４１ｄ  ＹＥＳ)、制御部２０は、第１実施例と同様に、指示された内容についての情報を端末装置１００に通知する(Ｓ３４２ｄ)。その後、端末装置１０から指示許可通知情報を受信した場合に(Ｓ３４４ｄ  指示許可情報)、指示に応じた処理を実行する(Ｓ３４６ｄ)。一方、端末装置１００に通知してからタイムアウトとなる所定の期間が経過した場合(Ｓ３４３ｄ  ＹＥＳ)と、指示拒否情報を受信した場合(Ｓ３４４ｄ  指示拒否情報)とは、制御部２０は、独占中の端末装置１００の情報を表示部１２１に表示する(Ｓ３５０ｄ)。
【００９６】
Ｃ．まとめ
以上説明したように、ＭＦＰ１０は、端末装置１００とＮＦＣ通信を実行することによって、端末装置１００に画像処理機能を独占させる独占状態に移行する。独占状態に移行する際、ＭＦＰ１０は、端末装置１００から送信される宛先情報１４１をメモリ４０に記憶する。ＭＦＰ１０は、独占状態に移行した後、ＭＦＰ１０に対して指示がなされた場合に、メモリ４０に記憶される宛先情報１４１を用いて、端末装置１００に指示があった旨を通知する。このように、ＭＦＰ１０は、独占状態に移行した後に指示がなされたことを端末装置１００に適切に通知することができる。
【００９７】
なお、本発明における技術的範囲は、上述した実施例に限られるものではなく、以下に示すような種々の態様によって実施することが可能である。
【００９８】
(１)上述した実施例における指示受付処理では、独占状態に移行した後にＭＦＰ１０に対して指示がなされた場合に、端末装置１００に指示の内容を通知し、端末装置１００で指示許可ボタンが押下されたか否かに応じて、ＭＦＰ１０で当該指示に対する処理を実行するか否かを切り替えているが、異なる構成であってもよい。すなわち、指示された内容(例えば、ストップキーが押下された旨を示す内容)を通知するのみの構成であって、指示に基づく処理を許可するか否かを端末装置１００に選択させない構成としてもよい。
【００９９】
(２)上述した第１実施例では、制御部２０は、端末装置１００が画像処理機能の実行指示を行った後、ＭＦＰ１０に対して実行中の機能を妨げる指示がなされた場合に、端末装置１００に対して指示の内容を通知しているが、異なる構成であってもよい。例えば、端末装置１００が画像処理機能の実行指示を行った後は、ＭＦＰ１０に対してなされた全ての指示の内容を端末装置１００に通知する構成としてもよい。また、この場合、ＭＦＰ１０で実行されている機能を妨げる指示のみ拒否する構成としてもよいし、全ての指示を拒否する構成としてもよい。
【０１００】
また、上述した第２実施例では、制御部２０は、画像処理機能の実行指示を行った後、ＭＦＰ１０に対して画像処理機能に関係する指示がなされた場合に、端末装置１００に対して指示内容を通知しているが、異なる構成であってもよい。例えば、画像処理機能の実行指示を行った後は、ＭＦＰ１０に対してなされた全ての指示の内容を端末装置１００に通知する構成としてもよい。また、この場合、ＭＦＰ１０の機能に関係する指示のみ拒否する構成としてもよいし、全ての指示を拒否する構成としてもよい。
【０１０１】
(３)上述した第１実施例では、Ｓ３４０の指示受付処理でのＳ３４１ｂの処理ステップにおいて、指示された処理が画像処理機能の実行を妨げる場合に、端末装置１００に対して指示内容を通知しているが、これに代えて、画像処理機能の実行を妨げない場合であっても、端末装置１００に指示内容を通知してもよい。
【０１０２】
また、同様に、上述した第２実施例では、Ｓ５００の指示受付処理でのＳ３４１ｄの処理ステップにおいて、指示された処理が画像処理機能の実行に関係する場合に、端末装置１００に対して指示内容を通知しているが、これに代えて、画像処理機能の実行に関係しない場合であっても、端末装置１００に指示内容を通知してもよい。
【０１０３】
(４)上述した各実施例では、ＣＰＵ３０が画像処理プログラム４１に従って処理を実行することによって、各手段５１〜６１の機能が実現されるが、各手段５１〜６１の少なくとも１個は、論理回路等のハードウェアで実現されてもよい。
【符号の説明】
【０１０４】
１０…ＭＦＰ、２０…制御部、２１…表示部、２２…操作部、２３…読取部、２４…印刷実行部、２５…ＮＦＣ通信インターフェース、２６…無線ネットワークインターフェース、３０…ＣＰＵ、４０…メモリ、４１…画像処理プログラム、４２…状態フラグ、４３…独占解除コード、４４…データ記憶領域、４４ａ…印刷データ、５１…第１の受信手段、５２…宛先記憶手段、５３…第１の通知手段、５４…特定手段、５５…第１の実行制御手段、５６…判断手段、５７…第２の通知手段、５８…第２の受信手段、５９…第２の実行制御手段、６０…表示手段、６１…決定手段、１００…端末装置、１２０…制御部、１２１…表示部、１２２…操作部、１２５…ＮＦＣ通信インターフェース、１２６…無線ネットワークインターフェース、１３０…ＣＰＵ、１４０…メモリ、１４１…宛先情報
【図１】
0005903811.tif 000002
【図２】
0005903811.tif 000003
【図３】
0005903811.tif 000004
【図４】
0005903811.tif 000005
【図５】
0005903811.tif 000006
【図６】
0005903811.tif 000007
【図７】
0005903811.tif 000008
【図８】
0005903811.tif 000009
【図９】
0005903811.tif 000010
【図１０】
0005903811.tif 000011
【図１１】
0005903811.tif 000012